(57)【要約】【課題】居住者在宅のままで、安全にしかも短時間で玄関ドア枠体の取り替えが可能であり、本発明特有の乾式封止構造を採用することによって、工事完了までの時間を短縮すると同時に防音、防火性能等を格段に向上させた玄関ドア枠取付構造を提供する。【解決手段】本発明は、既存のドア枠と該枠を固定するコンクリート部分を削除した開口部に、新規ドア枠を取付固定するドア枠取付構造であって、新規ドア枠の外側型枠材と上記開口部の削除面との間にロックウールを充填し、その外側に熱膨張性耐火シートとスチールプレートを固定し、更に外側をシール材により封止すると共に、上記ドア枠と上記開口部を形成する躯体表面との間をモールにより封止したことを特徴とする新規ドア枠の取付構造である。【選択図】　図５
2004084421.tif 000002
【特許請求の範囲】
【請求項１】
既存のドア枠と該枠を固定するコンクリート部分を削除した開口部に、新規ドア枠を取付固定するドア枠取付構造であって、新規ドア枠の外側型枠材と上記開口部の削除面との間にロックウールを充填し、その外側に熱膨張性耐火シートとスチールプレートを固定し、更に外側をシール材により封止すると共に、上記ドア枠と上記開口部を形成する躯体表面との間をモールにより封止したことを特徴とする新規ドア枠の取付構造。
【請求項２】
上記ドア枠における外側型枠材と開口の削除面との間は、アンカー式引き締め固定手段とボルト式押圧固定手段とによって固定されていることを特徴とする請求項１記載の新規ドア枠の取付構造。
【請求項３】
上記熱膨張性耐火シートは、ドア枠の外枠材の立上り部と上記スチールプレートとにより挾持固定されていることを特徴とする請求項１〜２記載の新規ドア枠の取付構造。
【請求項４】
新規ドア枠と躯体開口表面及び玄関内装材表面との間に夫々化粧モールを敷設したことを特徴とする請求項１〜３のいずれかに記載の新規ドア枠の取付構造。
【発明の詳細な説明】
【０００１】
【発明が属する技術分野】
本発明は玄関ドア枠体の取り替え時における枠体取付構造に係り、特に集合住宅等における既存の玄関ドア枠体を撤去し、新たに、取り替え設置された玄関ドア枠体と、これを支持固定する躯体開口部との隙間を乾式で封止することを特徴とする、ドア枠体外周部の封止構造に関するものである。
【０００２】
【従来の技術】
築後２０年を超える集合住宅にあっては、最近建設される住宅に比べて内装、設備等において相対的に陳腐化が進んでおり、玄関ドアにおいても開閉に支障を来す等、老朽化が進んで、取り替え工事が必要となっている。
【０００３】
この様な集合住宅におけるリフォーム工事は、一般的に一個の住宅棟全体を同時に工事するケースは少なく、戸別の各住戸が必要に応じて、しかも、通常の生活状態を維持したままで行う場合が多い。玄関ドアの改修にあっても同様に、通常の生活状態で短時間に、しかも、隣接住戸に対する騒音等の影響を最小限に工事を完了する必要があると共に、防音、防火対策が極めて重要である。
【０００４】
従来の居住者在宅のままで玄関ドアの性能を向上する目的で取り替える工法としては、「引き抜き工法」又は「カバー工法」が採用されている。しかしながら、カバー工法にあっては既存のドア開口寸法より新設されるドア開口の方が狭くなるので、新設される玄関ドアが現状の有効開口寸法を最低限維持するためには引き抜き工法が施工されるが、この工法では既存のドア枠を撤去する必要がある。そして、このような引き抜き工法によるドア枠体の撤去に騒音、振動などを伴なうことはもちろん、新設ドア枠体の固定のために、玄関部分の躯体に埋め込まれた鉄筋アンカーとドア枠体とを溶接する必要がある。このため火災の危険性があると共に作業時間が長くなる等の問題があった。
【０００５】
そして、この様な従来公知の工法によって取り替えられた新設ドア枠と、これを支持固定する躯体開口部の取り付け面との隙間には、モルタルを充填する、いわゆる湿式の封止工法が採用されており、ドア枠の取り替え工事完了までに長時間を要する欠点があった。また、例えば特開平１１−３３６４３２号公報に記載されたような従来公知の扉取付け構造にあっては、壁面開口の内壁に設けた仕上材と扉等の見切枠との隙間にシール材を施し、これらの隙間と見切枠の見付け部分をモールで覆ったのみの構造であり、防音、防火の面で上記湿式封止工法に比べて問題があった。
【０００６】
【発明が解決しようとする課題】
本発明はこの様な従来工法の欠点を解消し、極めて短時間に新規ドア枠体の取り付けができ、溶接作業を不要としたドア枠体の取り付け工法を採用することにより、居住者在宅のままで、安全にしかも短時間で玄関ドア枠体の取り替えが可能であり、しかも、本発明特有の乾式封止構造を採用することによって、工事完了までの時間を短縮すると同時に防音、防火性能等を格段に向上させた玄関ドア枠取付構造を提供するものである。
【０００７】
【課題を解決するための手段】
本発明は、既存のドア枠と該枠を固定するコンクリート部分を削除した開口部に、新規ドア枠を取付固定するドア枠取付構造であって、新規ドア枠の外側型枠材と上記開口部の削除面との間にロックウールを充填し、その外側に熱膨張性耐火シートとスチールプレートを固定し、更に外側をシール材により封止すると共に、上記ドア枠と上記開口部を形成する躯体表面との間をモールにより封止したことを特徴とする新規ドア枠の取付構造である。
また、上記ドア枠における外側型枠材と開口の削除面との間は、アンカー式引き締め固定手段とボルト式押圧固定手段とによって固定され、上記熱膨張性耐火シートは、ドア枠の外枠材の立上り部と上記スチールプレートとにより挾持固定され、新規ドア枠と躯体開口表面及び玄関内装材表面との間に夫々化粧モールを敷設される。
【０００８】
【発明の実施の形態】
先ず、本発明における新規ドア枠体の取り付け工法について、特に図１〜図４に基づき説明する。
図１は、本発明の工法によって既に取り替えられた玄関ドア部分の正面図であって、そのドア枠体とこれを支持する建物躯体との関係を特に明らかにしている。玄関部分を模式的に示す例えばコンクリート製の躯体２０は、新規ドア枠１０が固定される開口部２１（既存のドア枠体及び躯体開口部の一部が削除された開口）を有し、新規ドア枠１０には通常のドアＤがヒンジ１２〜１２により開閉自在に支持されている。
【０００９】
符号２２〜２２及び２３〜２３で示す部分は、いずれも後述するように、ドア枠１０と躯体２０の開口部２１の内側面とを固定するための、固定手段設定位置を示している。そして、図中の開口２１の左右の側面に示された各３個の固定手段位置２２〜２２は、その詳細を後述するように、該開口部壁面に新たに植設されるアンカーボルトによるアンカー式引締め固定手段の設置個所を示しており、同じく開口２１の上下、左右の各側面に示された各３個の固定手段位置２３〜２３は、ボルトによって該開口の壁面に対し押圧式に固定するボルト式押圧固定手段設置個所を示している。
【００１０】
図２は、例えば図１におけるＡ−Ａ断面を示しており、新規ドア枠１０の上下部分が、躯体２０の玄関部における開口部２１の天井側開口面２４及び床側開口面２５に固定されている状態を示している。この図から明らかなように、新規ドア枠１０の上下側の固定は、全てボルト式押圧固定手段３０により行われ、この実施例においては、新規ドア枠１０の上下に各３個のボルト式押圧固定手段３０が設けられている。
【００１１】
新規ドア枠１０を取り付けるための開口２１の天井側開口面２４は、既存のドア枠をその支持部に相当するコンクリート部分又はモルタル部分と共に削除することにより形成され、同様に開口２１の床側開口面２５においても、玄関床面を含むコンクリート支持部を削除することにより形成され、これら開口部２１の削除面はいずれも符号２８によって波形面で例示的に表現されている。このような既存のドア枠の撤去及び枠体支持開口部２１のコンクリート部分の削除は、従来周知の工法によって行うことができるけれども、例えばハツリ工法等に代えて無騒音の油圧式戸枠撤去装置も提案されている。
【００１２】
新規ドア枠１０の構造は、それ自体が格別に新規なものではなく、例えばスティール製の、少なくとも外側型枠材１０１と内枠材１０２及びこれらと一部重なる外枠材１０３を有している。そして、これら外側型枠材１０１、内枠材１０２、外枠材１０３を施工現場において組み付ける形式のものであって、先ず現場にて外側型枠材１０１を削除された開口部に取り付けた後、ロックウール１０４を充填すると共に内枠材１０２を取り付ける。なお、ロックウール１０４は、その多くの部分（図に実線で示す）を工場において予め充填することができる。外枠材１０３は後述するように、上記新規ドア枠１０と開口部との封止時に取り付ける。
【００１３】
図１において符号２３〜２３に対応する位置に設定される固定手段であって、本発明の重要な構成部分の１つを示すボルト式押圧固定手段３０について、その構成を説明する。
ボルト式押圧固定手段３０は基本的に、上記新規ドア枠１０の外側型枠材１０１の内面に溶接等により固定されるナット３１と、該ナットに螺合する形式で、その先端部を削って錐状に形成されたボルト３２から構成されている。このような構成のボルト式押圧固定手段３０を用いて、そのボルト３２の錐状先端部を例えば開口２１の床側開口面２５の削除面２８に押し付けることによって反力を得ると共に、該押圧反力によって新規ドア枠１０を支持するものである。
【００１４】
同様に、図２の上部に示された天井側開口面２４においても、床側面開口面２５と同様にボルト式押圧固定手段３０が設置され、そのボルト３２の錐状先端部を天井側開口面２４の削除面２８に押し付けることによって、その反力を得ているけれども、この部分のボルト３２の錐状先端部と削除面２８との接触部には強力な接着剤２９が施される。このようにして、ボルト先端部の押圧力と接着剤２９の固着力とによって、新規ドア枠１０が開口２１の側面に強固に固定されると共に、ボルト３２の錐状先端部のズレを防止されるものである。
【００１５】
図３は図１におけるＢ−Ｂ断面を表わしている。
ドアＤをヒンジ１２〜１２で開閉自在に支持する新規ドア枠１０は、この図の場合には図１に示す縦方向の両側枠部を示しているけれども、やはりボルト式押圧固定手段３０，３０を用いて、開口２１の側面であり躯体２０の一部である削除面２８，２８に対して、ボルト３２の錐状先端部を押し付けることによって固定反力を得ている。そして、両側枠部である縦枠材に用いられるこれらのボルト式固定手段３０，３０は、いずれも接着剤２９により、その錐状先端部の位置ズレを防止する形式である。
【００１６】
図４は、図１におけるＣ−Ｃ断面を表わしている。この図に示す固定手段４０は、新規ドア枠１０の他の１つの固定手段であるアンカー式固定手段を用いて、新規ドア枠１０の両側縦枠材を躯体２０の削除面２８に対して、アンカーボルトを用いて引き締め固定する形式のものである。ここで、アンカー式引き締め固定手段自体の構成は従来公知の形式のものであるけれども、このようなアンカー式引き締め固定手段４０の敷設には、先ず、上記躯体２０の開口２１における削除面２８に対して、アンカーボルト挿入用の穿孔が行われる。
【００１７】
続いて、内部に打ち込み用芯棒を有し先端部が拡開可能なシース管４３を上記穿孔内に挿入し、該芯棒の頭部を打ちこみ、シース管端部を拡開することによってアンカーが固定される。その後図４に示すように、固定されたシース管４３の頭部に刻設されたネジ部４２に螺合するナット４４によって、新規ドア枠１０の縦枠材部分、すなわち外側型枠材が開口２１の削除面２８に対して引き締められ、強固に固定される。
【００１８】
次に、特に図４及び上記図２の天井側を拡大した図である図５の記載に従って、本発明の特徴的構成であるドア枠体の外周部と躯体開口部との隙間における封止構造について説明する。
両図から明らかなように、躯体２０の開口部から既存のドア枠を撤去するためにコンクリート部分が削除された枠体支持用開口２１には、上記した構造のボルト式押圧固定手段３０及びアンカー式引き締め固定手段４０の併用により新規ドア枠１０が固定される。そして、該新規ドア枠１０の上下枠材及び左右の縦枠材を構成する外側型枠材１０１と開口部２１の削除面２８との隙間Ｈは、次に詳細に説明するように乾式封止構造によりシールされる。
【００１９】
先ず、両図における隙間Ｈには夫々ロックウール５０（図に破線で示す）が充填される。これは、該隙間Ｈに対してドア枠の全周に渡って充填され、防火、防音、断熱の作用を奏する。
一方、外枠材１０３の外周立上り部１０５にビスＢを用いて熱膨張性耐火シート５１をスチールプレート５２により挾持するように固定する。ここで熱膨張性耐火シート５１は火災発生時等の高温下、例えば２００℃以上の加熱によって５〜４０倍に膨張するフィフロック（商品名）等の２ｍｍ厚板材を用いる。
【００２０】
そして、上述のスチールプレート５２と外枠材１０３の外周立上り部１０５とで挾持した状態で、その先端部を隙間Ｈの内方に湾曲させて、ロックウール５０を押込むようにしてドア枠の外側型枠材１０１に固定する。
この様な外枠材１０３の外側型枠材１０１への固定はビスＢにより行われるが、後述するように、該ビスＢはアルミ製の化粧モール５４の取付けにも兼用される。
【００２１】
図４、図５において符号５３で示す部分は、たとえばポリサルファイド系のシール材による封止部であって、防水性に優れたものである。そして、これらの封止手段の施工後に、該隙間Ｈを含む躯体２０の表壁面と新規ドア枠１０の外枠材１０３との接合部にモール５４が設けられるが、該モール５４の取り付けは先ず、上記外枠材１０３に予め設けたビス孔にモールの取付体５４１をビスＢにより固定し、その後カバー体５４２を該取付体５４１のフック部に係合される。この場合のモール５４は、一般的なアルミ製の物を用いることができる。
【００２２】
また、図４及び図５から明らかなように、新規ドア枠１０の内枠体１０２と上記開口部２１の玄関内側の内装材２７との接合部にもモール５４が設けられるが、この場合にはモール５４の取付体５４１を該内装材２７にビスＢにより固定し、続いてカバー体５４２を該取付体５４１と係合させる。
【００２３】
続いて、本発明によるドア枠取付構造における、特に封止構造部分の施工手順を説明する。既存のドア枠を撤去した後の開口部は、コンクリート部分が削除された面２８を有する開口２１で示されており、新規ドア枠１０がボルト式押圧固定手段３０及びアンカー式引き締め固定手段４０によって取り付け固定される。
この場合、新規ドア枠１０の構成部材である外側型枠材１０１及び内枠材１０２の間には、そのほとんどの部分に対して工場で予めロックウール１０４が充填されるけれども、開口２１への取り付け時にはこれら外側型枠材１０１及び内枠材１０２が分離されている。
【００２４】
特に図４に明らかなように、先ず、新規ドア枠１０の外側型枠材１０１がアンカー式引き締め固定手段４０により、新規ドア枠１０の左右縦枠部分で適宜位置に固定される。そして図２、図３に示すように、新規ドア枠１０の他の部分が、ボルト式押圧固定手段３０によって同じく開口２１の削除面２８にボルト３２の先端３３を押圧することによって固定される。そして、開口２１の上部及び左右側部の削除面２８に対して、該ボルト３２の先端部３３が接着剤２９によって位置固定される。
【００２５】
その後内枠材１０２がセットされるけれども、上記外側型枠材１０１と開口２１の削除面２８との隙間Ｈに図４、５に示すようにロックウール５０が充填される。一方、新規ドア枠１０の外側型枠材１０１、内枠材１０２の外に外枠材１０３が用意されており、その外周立上り部１０５には、スチールプレート５２によって挾持するように熱膨張性耐火シート５１が予め取り付けられ、該耐火シート５１及びスチールプレート５２により上記隙間Ｈ内のロックウール５０を包み込むように固定される。
【００２６】
続いて、上記隙間Ｈの外側はポリサルファイド系のシール材５３によってシールされた後、該シール材部分を含む躯体２０の開口２１部分と新規ドア枠１０の上記外枠材１０３との接合部分にモール５４が施される。この場合、モール５４の取付体５４１を上記ドア枠１０の外側型枠材１０１及び外枠材１０３に設けたビス孔にビスＢにより固定する形式で取り付けることによって完了する。
なお、ドア枠１０の内枠材１０２と開口２１の玄関内側の内装材２７との接合部にも、上記と同様の方法によりモール５４が固定される。
【００２７】
【発明の効果】
上記のごとき本発明によれば、アンカー式引き締め固定手段とボルト式押圧固定手段を併用することによって、新規のドア枠を短時間で確実に固定できることはもちろんであるが、従来工法のごとく埋め込み式アンカーの鉄筋とドア枠材とを溶接する必要がなく、火災等の心配が全くない。
そして、新規ドア枠と開口の削除面との隙間は乾式封止手段が施工されるので、施工時間を極めて短くすることができると共に、ロックウール、熱膨張性耐火シート、スチールプレート、防水シール材の順に封止手段を施すことによって、防音、防火、防水が完全にできるものである。
更に、これらの封止手段は化粧モールによって美しく仕上げることができる。
【図面の簡単な説明】
【図１】ドア枠取り替え状態を示す正面図である。
【図２】図１におけるＡ−Ａ断面図である。
【図３】図１におけるＢ−Ｂ断面図である。
【図４】図１におけるＣ−Ｃ断面図である。
【図５】図２の天井側部分の拡大図である。
【符号の説明】
１０　新規ドア枠
１２　ヒンジ
２０　躯体
２１　開口
２２　アンカー式引き締め固定手段設置位置
２３　ボルト式押圧固定手段設置位置
２６　側壁部
２８　削除面
２９　接着剤
３０　ボルト式押圧固定手段
３１、４４　ナット
３２　ボルト
３３　錐状先端部
４０　アンカー式引き締め固定手段
４２　ネジ部
４３　シース管
５０　ロックウール
５１　熱膨張性耐火シート
５２　スチールプレート
５３　シール材
５４　モール
１０１　外側型枠材
１０２　内枠材
１０３　外枠材
１０４　ロックウール
【図１】
2004084421.tif 000003
【図２】
2004084421.tif 000004
【図３】
2004084421.tif 000005
【図４】
2004084421.tif 000006
【図５】
2004084421.tif 000007